(57)【特許請求の範囲】
【請求項１】
スプリング装着用凹部を備えたスプリング装着部材と、前記スプリング装着用凹部内に配置され外方に延在したスプリングと、該スプリングを前記スプリング装着用凹部内に係止するためのスプリング係止機構とを有し、前記スプリング係止機構は、前記スプリング装着部材に複数の前記スプリング装着用凹部が交差するように設けられ、該複数のスプリング装着用凹部内にそれぞれ複数の前記スプリングがピッチを拡大した部位で交差するように配置され離脱不能としたものであることを特徴とする玩具煙火用スプリング装着構造。
【請求項２】
スプリング装着用凹部を備えたスプリング装着部材と、前記スプリング装着用凹部内に配置され外方に延在したスプリングと、該スプリングを前記スプリング装着用凹部内に係止するためのスプリング係止機構とを有し、前記スプリング係止機構は、前記スプリング装着用凹部内に凸部が立設され、該凸部が前記スプリングを構成する線状体の間隙に挿入され離脱不能としたものであることを特徴とする玩具煙火用スプリング装着構造。
【請求項３】
スプリング装着用凹部を備えたスプリング装着部材と、前記スプリング装着用凹部内に配置され外方に延在したスプリングと、該スプリングを前記スプリング装着用凹部内に係止するためのスプリング係止機構とを有し、前記スプリング係止機構は、前記スプリング装着用凹部内に前記スプリングが屈曲して配置され離脱不能としたものであることを特徴とする玩具煙火用スプリング装着構造。
【請求項４】
前記スプリング装着部材は、基台部と該基台部に開閉可能に設けられた蓋部とを有し、該蓋部は閉じた状態で前記基台部に係止可能である請求項１ないし３のいずれかに記載の玩具煙火用スプリング装着構造。
【請求項５】
前記請求項１ないし４のいずれかに記載の玩具煙火用スプリング装着構造を備え、スプリングの先端部に棒状花火を取り付けたことを特徴とする玩具煙火。
【発明の詳細な説明】
【０００１】
【発明の属する技術分野】
本発明は、スプリングを利用した玩具煙火に使用して好適な玩具煙火用スプリング装着構造およびそれを備えた玩具煙火に関する。
【０００２】
【従来の技術】
従来より、スプリングの一端に取り付けた棒状花火（スパークラー或いは筒状巻花火等）をスプリングの弾性力を利用して花火現象中に振動させ或いは開花させて花火遊戯の興趣を増大させた玩具煙火が種々提案されている。例えばそのようなものとして、図９に示すような玩具煙火５０がある。
【０００３】
この玩具煙火５０は、スプリング装着部材５１と、スプリング装着部材５１に突設された突出部５２と、突出部５２に一端が取り付けられたスプリング５３と、スプリング５３の他端に取り付けられた棒状花火５４とを有している。そして、スプリング装着部材５１へのスプリング５３の装着は、図１０に示した各突出部５２にスプリング５３をそれぞれ捩り込むことにより行っていた。
【０００４】
【発明が解決しようとする課題】
しかし、このスプリング装着部材へのスプリング装着作業は、スプリングが突出部より離脱して商品価値を損ねないように入念な手作業で行っており、作業効率が極めて悪くコスト高の要因となっていた。
【０００５】
そこで、本発明の課題は、スプリングの装着作業が極めて容易で、かつスプリングがスプリング装着部材より離脱することがない玩具煙火用スプリング装着構造およびそれを備えた玩具煙火を提供することにある。
【０００６】
【課題を解決するための手段】
上記課題を解決するものは、スプリング装着用凹部を備えたスプリング装着部材と、前記スプリング装着用凹部内に配置され外方に延在したスプリングと、該スプリングを前記スプリング装着用凹部内に係止するためのスプリング係止機構とを有し、前記スプリング係止機構は、前記スプリング装着部材に複数の前記スプリング装着用凹部が交差するように設けられ、該複数のスプリング装着用凹部内にそれぞれ複数の前記スプリングがピッチを拡大した部位で交差するように配置され離脱不能としたものであることを特徴とする玩具煙火用スプリング装着構造である。
また、上記課題を解決するものは、スプリング装着用凹部を備えたスプリング装着部材と、前記スプリング装着用凹部内に配置され外方に延在したスプリングと、該スプリングを前記スプリング装着用凹部内に係止するためのスプリング係止機構とを有し、前記スプリング係止機構は、前記スプリング装着用凹部内に凸部が立設され、該凸部が前記スプリングを構成する線状体の間隙に挿入され離脱不能としたものであることを特徴とする玩具煙火用スプリング装着構造である。
さらに、上記課題を解決するものは、スプリング装着用凹部を備えたスプリング装着部材と、前記スプリング装着用凹部内に配置され外方に延在したスプリングと、該スプリングを前記スプリング装着用凹部内に係止するためのスプリング係止機構とを有し、前記スプリング係止機構は、前記スプリング装着用凹部内に前記スプリングが屈曲して配置され離脱不能としたものであることを特徴とする玩具煙火用スプリング装着構造である。
【０００７】
前記スプリング装着部材は、基台部と該基台部に開閉可能に設けられた蓋部とを有し、該蓋部は閉じた状態で前記基台部に係止可能であることが好ましい。前記スプリング装着部材は、樹脂材料にて一体成形されていることが好ましい。
【０００８】
さらに、上記課題を解決するものは、上記スプリング装着構造を備え、スプリングの先端部に棒状花火を取り付けたことを特徴とする玩具煙火である。
【０００９】
【作用】
本発明のスプリング装着構造は、スプリング装着部材がスプリング装着用凹部を有しているため、スプリング装着部材へのスプリングの取付作業は、スプリング装着用凹部内にスプリングを配置するのみであり、煩雑な捩り込み作業が不要で作業効率が著しく向上する。
【００１０】
【発明の実施の形態】
以下、本発明の玩具煙火用スプリング装着構造を図１ないし図４に示した一実施例を用いて説明する。図１は本発明の玩具煙火用スプリング装着構造に使用されるスプリング装着部材の一実施例の斜視図であり、図２は図１に示したスプリング装着部材に装着されるスプリングの一実施例の斜視図であり、図３は図１に示したスプリング装着部材にスプリングを装着した状態を示す斜視図であり、図４は図１に示したスプリング装着部材にスプリングを装着し蓋部を閉じた状態を示す斜視図であり、本発明の玩具煙火用スプリング装着構造の一実施例の斜視図である。
【００１１】
この実施例の玩具煙火用スプリング装着構造１は、図３に示すように、スプリング装着用凹部２を備えたスプリング装着部材３と、スプリング装着用凹部２内に一部が配置され外方に延在したスプリング４と、スプリング係止機構５とを有しており、スプリング係止機構５は、スプリング装着部材３に複数のスプリング装着用凹部２ａ，２ｂが交差するように設けられ、複数のスプリング装着用凹部２ａ，２ｂ内にそれぞれ複数のスプリング４ａ，４ｂがピッチを拡大した部位で交差するように配置され離脱不能としたものである。以下、各構成について順次詳述する。
【００１２】
スプリング装着部材３は、スプリング４を介して棒状花火１１を取り付けるためのものであり、本発明の玩具煙火の基体部位を構成する部材である。スプリング装着部材３は、基台部６と、基台部６に開閉可能に設けられた蓋部７とからなっており、具体的には、この実施例のスプリング装着部材３は合成樹脂にて一体成形され、基台部６と蓋部７は図１に示すように肉薄部８を介して連結している。そして、蓋部７は図１中矢印Ｅ方向に回動可能であり、基台部６に対して開閉可能に設けられている。
【００１３】
蓋部７の一端縁部（肉薄部８とは反対側の端縁部）には、係止孔９を備えた係止用突出部１０が設けられており、この係止用突出部１０の基端部１０ａもまた肉薄に形成され、係止用突出部１０が図１中矢印Ｆ方向に折曲可能となっている。
【００１４】
他方、基台部６の一端縁部には、上記係止孔９内に挿入可能に形成された蓋部係止用凸部１１が形成されており、蓋部７を閉じた状態（蓋部７と基台部６とを当接した状態）で、蓋部７の係止用突出部１０を基台６側に折曲しながら係止孔９内に蓋部係止用凸部１１を挿入すると、図４に示すように蓋部７が基台部６に係止される構造となっている。
【００１５】
このように、本発明においてスプリング装着部材が蓋部を有することにより、スプリングが後述するスプリング装着用凹部の上方開口より離脱することを防止できる。また、蓋部を設けることにより、スプリングを上方より載置するのみで、スプリング装着用凹部へのスプリングの配置が可能となるため、スプリング装着作業が極めて容易なものとなる。
【００１６】
そして、基台部６には、スプリング装着用凹部２が設けられている。スプリング装着用凹部２はスプリング４の一部を配置してスプリング装着部材３にスプリング４を取り付けるための部位であり、この実施例では、図１に示すように２つのスプリング装着用凹部２ａ，２ｂが、基台６の上部を略直交する方向にそれぞれ横断して中央付近で交差するように形成されている。
【００１７】
スプリング装着用凹部２ａ，２ｂ内には、図２に示すようなスプリング４ａ，４ｂがそれぞれ配置されている。このスプリング４ａ，４ｂはそれぞれ中間部付近にピッチが拡大された部位を有しており、図４に示すようにこれらの部位がスプリング装着用凹部２ａ，２ｂの交差部に位置するように配置される。そして、複数のスプリング４ａ，４ｂがピッチが拡大された部位で交差するように配置されることによって、スプリング４ａ，４ｂ同士が中間部で係合し、スプリング４ａ，４ｂがスプリング装着用凹部２ａ，２ｂの側部開口側から離脱しないように作用する。なお、この実施例のスプリング装着用凹部２ａ，２ｂは、スプリング４の外形に対応した湾曲内面形状に形成されており、これによりスプリング４の配置状態がより安定するよう配慮されている。
【００１８】
このように、スプリング装着構造１は、上記のようなスプリング係止機構５を採用しているため、装着するスプリング数を半減できる共に、スプリング装着作業はスプリング装着用凹部内にスプリングを配置するのみであり、スプリングの装着作業を極めて容易なものとすることができる。さらにスプリングがスプリング装着部材より離脱することを確実に防止できる。
【００１９】
より具体的には、スプリング装着構造１は、上記構成を有しており、スプリング４をスプリング装着部材３に取り付けるに際しては、まず図１に示すように蓋部７を開き、つぎに図３に示すようにスプリング４を配置し、さらに図４に示すように蓋部７を閉じた状態で係止孔９内に蓋部係止用凸部１１を挿嵌するのみであり、煩雑な捩り込み作業が不要で、かつ、スプリング係止機構５を備えているためスプリング４が離脱することがない。
【００２０】
なお、スプリング４は、図３に示すようにスプリング装着用凹部２内に一部が配置され、他の部分はスプリング装着用凹部２ａ，２ｂの側部開口側より突出し外方に延在するように装着される。そして、突出端（スプリングの先端部）には後述するように棒状花火がそれぞれ取り付けられる。さらに、この実施例のスプリング装着部材３は、図４に示すように蓋部７の上面側に吊り下げ用突出片１２を有し、基台部６の下面側に着火用棒状花火を直接固着するための挿嵌孔１３ａを備えた棒状花火取付部１３を有している。
【００２１】
また、この実施例のスプリング装着部材３は、蓋部７を有することにより、スプリング４がスプリング装着用凹部２の上方開口より離脱しないように構成されているが、これに限定されるものではなく、蓋部に代えて基台部が上方開口からのスプリングの離脱を防止する係止部を備えるものも本発明の範疇に包含される。例えばそのようなものとしてスプリング装着用凹部の上方開口付近に凸部を設けることなどが考えられる。また、この実施例のスプリング装着部材３は、基台部６と蓋部７との係止を、蓋部７に設けられた係止孔９と基台部６に設けられた蓋部係止用凸部１１との係合によって行っているが、両者が係止される構造であればどのようなものでもよく、例えば逆に基台部に設けられた係止孔と蓋部に設けられた係止用凸部とが係合するものであってもよい。さらに、この実施例のスプリング装着用凹部２は２本のスプリング装着用凹部２ａ，２ｂにより構成されているが、これに限定されるものではなく、必要なスプリングの数に応じて１以上のスプリング装着用凹部が形成されたものは広く本発明の範疇に包含される。
【００２２】
つぎに、図５に示した本発明の玩具煙火用スプリング装着構造を備えた玩具煙火２０について説明する。この実施例の玩具煙火は上記スプリング装着構造１を備えたものであり、スプリング装着構造については前述した通りであり説明を省略する。なお、同一構成部分については同一符号を付す。
【００２３】
この玩具煙火２０は、図４に示したようにスプリング装着部材３より外方に向かって延出する４本のスプリング４の先端部に４本の棒状花火２１（スパークラー）をそれぞれ取り付け、かつ棒状花火取付部１３の挿嵌孔１３ａ内に１本の棒状花火２２を固着したものである。そして、棒状花火２２を中央部に配置した状態で４本の棒状花火２１を各スプリング４を湾曲させて下方に集束し、結束部材２３（具体的には、この実施例では粘着テープ）にて棒状花火２２と共に結束して形成されている。
【００２４】
棒状花火２２は、図６に示すように４本の棒状花火２１より下方により突出するように設けられているため、この先端部に着火すると次第に上方に向かって燃焼し結束部材２３を燃焼或いは熔解させ消失させる。それに伴って棒状花火２１の結束状態が解除されてスプリング４の弾発作用で四方に開花しさらに振動を続ける。これによって棒状花火２１の燃焼効果が高まり花火の輝きが一層際立つと共に、優美かつ変化に富んだものとなって花火遊戯の興趣が増大する。
【００２５】
つぎに、図６に示した本発明の玩具煙火用スプリング装着構造の他の実施例について説明する。この玩具煙火用スプリング装着構造と前述した玩具煙火用スプリング装着構造１との相違は、この実施例の玩具煙火用スプリング装着構造のスプリング４ａ，４ｂが同一平面上に配置されていない点と、スプリング係止機構としてスプリング装着用凹部２内に凸部１４が立設され、該凸部１４がスプリング４ａ，４ｂを構成する線状体の間隙に挿入され離脱不能となっている点であり他は同じである。同一構成部分には同一符号を付し説明を省略する。
【００２６】
具体的には、この実施例の玩具煙火用スプリング装着構造は、基台部６の上面にスプリング装着用凹部２ａが設けられ、このスプリング装着用凹部２ａにスプリング４ａが装着される。また、スプリング装着用凹部２ｂは蓋部７の下面に設けられ、このスプリング装着用凹部２ｂにスプリング４ｂが装着される。これによりスプリング４ａ，４ｂは同一平面上に位置することなく、スプリング４ｂはスプリング４ａの上方にてスプリング４ａと略直交する方向に配置される。
【００２７】
そして、スプリング装着用凹部２ａ内の中央付近には、スプリング装着用凹部２ａと略直交する方向に一体成形された凸部（具体的には突出片）１４が設けられており、この突出片１４がスプリング４ａを構成する線状体の間隙に挿入されスプリング４ａを係止している。他方、スプリング装着用凹部２ｂ内の両端部付近には、スプリング装着用凹部２ｂと略直交する方向に一体成形された凸部（具体的には突出片）１４がそれぞれ設けられており、これら突出片１４がスプリング４ｂを構成する線状体の間隙に挿入されスプリング４ｂを係止している。このように、本発明のスプリング係止機構は、図３に示したスプリング係止機構５に限定されるものではなく、この実施例のようなスプリング装着用凹部２内に設けられた凸部によるものであってもよい。
【００２８】
さらに、図７に示した本発明の玩具煙火用スプリング装着構造の他の実施例について説明する。この玩具煙火用スプリング装着構造と前述した玩具煙火用スプリング装着構造１との相違は、スプリング係止機構として、スプリング装着用凹部２ａ，２ｂ内においてスプリング４ａ，４ｂがそれぞれ略９０゜屈曲して配置され離脱不能となっている点のみであり他は同じである。同一構成部分には同一符号を付し説明を省略する。
【００２９】
具体的には、この実施例の玩具煙火用スプリング装着構造では、スプリング４ａがスプリング装着用凹部２ａ内に配置され、かつ中央付近で略９０゜屈曲されてスプリング装着用凹部２ｂ内に配置されている。他方、スプリング４ｂはスプリング装着用凹部２ｂ内に配置され、かつ中央付近で略９０゜屈曲されてスプリング装着用凹部２ａ内に配置されている。そして、スプリング４ａ，４ｂは弾性力に抗して屈曲され挿嵌されているため容易に離脱することがない。また、スプリング４ａ，４ｂの屈曲部付近で両者が係合するように配置されればさらに離脱防止を図ることができる。このように、本発明のスプリング係止機構は、図３に示したスプリング係止機構５に限定されるものではなく、この実施例のようなスプリングを屈曲あるいは湾曲させることにより離脱不能としたものであってもよい。
【００３０】
つぎに、図８に示した本発明の玩具煙火の他の実施例３０について説明する。この実施例の玩具煙火３０と前述した玩具煙火２０との相違は、スプリング４の先端部に取り付けられる棒状花火３１および棒状花火取付部１３に固着される棒状花火３２がスパークラーではなく筒状巻花火である点と、スプリング装着部材３の吊り下げ用突出片１２に代えて軸取付部３３が設けられている点と、さらに軸取付部３３に回転軸部材３４が固着され、かつ回転軸部材３４に軸受け部材３５と回転操作部３６が設けられている点である。なお、軸受け部材３５は回転軸部材３４を回転可能に保持しており、回転操作部３６は回転軸部材３４に固着されている。
【００３１】
そして、この玩具煙火３０にて花火遊戯を行う場合は、まず軸受け部材３５を片手で把持して中央部の棒状花火２２に着火する。すると次第に下方に向かって燃焼し、結束部材２３を燃焼或いは熔解させて消失させる。これに伴って棒状花火２１の結束状態が解除されてスプリング４ａ，４ｂの弾発作用で四方に開花しさらに振動を続ける。つぎに回転操作部３６の把持部３６ａを把持して回転させることにより回転軸部材３４が回転しそれに伴って各棒状花火３１が回転する。このように、この実施例の玩具煙火３０は、花火が開花動作および回転動作を行うため鑑賞性および参加性が高く花火遊戯の興趣がより増大する。
【００３２】
【発明の効果】
請求項１ないし３に記載した発明によれば、スプリングの装着作業が極めて容易で、かつスプリングがスプリング装着部材より離脱することを確実に防止できる。
請求項４に記載した発明によれば、スプリング装着用凹部にスプリングを配置した後、蓋部を閉じて係止すればよく、スプリング装着部材へのスプリングの装着をより容易なものとすることができる。
請求項５に記載した発明によれば、スプリングの装着作業が極めて容易で、かつスプリングがスプリング装着部材より離脱することがない玩具煙火を作製することができる。
【図面の簡単な説明】
【図１】本発明の玩具煙火用スプリング装着構造に使用されるスプリング装着部材の一実施例の斜視図である。
【図２】図１に示したスプリング装着部材に装着されるスプリングの一実施例の斜視図である。
【図３】図１に示したスプリング装着部材にスプリングを装着した状態を示す斜視図である。
【図４】図１に示したスプリング装着部材にスプリングを装着し蓋部を閉じた状態を示す斜視図であり、本発明の玩具煙火用スプリング装着構造の一実施例の斜視図である。
【図５】本発明のスプリング装着構造を備えた玩具煙火の一実施例の斜視図である。
【図６】本発明の玩具煙火用スプリング装着構造の他の実施例の斜視図である。
【図７】本発明の玩具煙火用スプリング装着構造の他の実施例の斜視図である。
【図８】本発明のスプリング装着構造を備えた玩具煙火の他の実施例の斜視図である。
【図９】従来のスプリング装着構造を備えた玩具煙火のスプリング装着構造を示す斜視図である。
【図１０】図９に示した玩具煙火のスプリング装着部材の斜視図である。
【符号の説明】
１ 玩具煙火用スプリング装着構造
２ スプリング装着用凹部
３ スプリング装着部材
４ スプリング
５ スプリング係止機構
６ 基台部
７ 蓋部
８ 肉薄部
９ 係止孔
１０ 係止用突出部
１１ 蓋部係止用凸部
【図１】
0003910274.tif 000002
【図２】
0003910274.tif 000003
【図３】
0003910274.tif 000004
【図４】
0003910274.tif 000005
【図５】
0003910274.tif 000006
【図６】
0003910274.tif 000007
【図７】
0003910274.tif 000008
【図８】
0003910274.tif 000009
【図９】
0003910274.tif 000010
【図１０】
0003910274.tif 000011